(57)【特許請求の範囲】
【請求項１】
浴室の天井に設置される浴室暖房乾燥機であって、天井裏に設置されて浴室内に温風を供給する浴室暖房乾燥機本体と、この浴室暖房乾燥機本体の浴室に露出する下面を覆うフロントパネルと、浴室内にミストサウナ用の水又は湯を噴霧するミストノズルとこのミストノズルに供給される水又は湯を加熱するミスト用熱交換器とを備えるミスト噴霧ユニットとを具備し、上記フロントパネルの内部に上記ミスト用熱交換器を内蔵しており、上記ミストノズルは、浴室に露出するノズル吐出口を先端に有する胴体部を、フロントパネルの内部でかつ上記ミスト用熱交換器の近傍に配置してなることを特徴とする浴室暖房乾燥機。
【請求項２】
熱源機からの温水を上記ミスト用熱交換器の一次側に循環させる温水送り配管及び温水戻り配管と、給水手段からのミスト用水を上記ミスト用熱交換器の二次側に供給するミスト用給水配管とで配管セットを構成し、上記フロントパネルを、ミスト用熱交換器を内蔵する第１のフロントパネルと、ミスト用熱交換器を内蔵しない第２のフロントパネルのいずれか一方で構成し、浴室暖房乾燥機本体に対して上記配管セットと上記第１のフロントパネルとを取り付けてミストサウナ機能を付加する構造と、浴室暖房乾燥機本体に対して第２のフロントパネルを取り付けてミストサウナ機能を付加しない構造とを選択可能としたことを特徴とする請求項１記載の浴室暖房乾燥機。
【発明の詳細な説明】
【技術分野】
【０００１】
本発明は、浴室の天井に設置されるミストサウナ機能を有する浴室暖房乾燥機に関するものである。
【背景技術】
【０００２】
従来、この種の天井設置形の浴室暖房乾燥機として、特許文献１に記載されたものが知られている。以下、図６を参照しながら説明する。
【０００３】
ミストサウナ運転時には、熱源機からの温水を暖房配管１０から暖房用熱交換器６に供給して、循環ファン７で風路内に吸い込まれた浴室内の空気を暖房用熱交換器６で加熱して、フロントパネル４の吹出口から浴室内に循環させて暖房を行う。一方、給水手段から供給されるミスト用水を、ミスト用熱交換器５において暖房配管１０から供給される温水と熱交換させて加熱し、加熱した温水を本体ケーシング１６を回りこむように配管したミスト配管１５´を経て、浴室暖房乾燥機本体２の下面側に配置したミストノズル８から浴室内にミスト状に噴霧させるものである。
【０００４】
ところで、天井９に設置される浴室暖房乾燥機１´が天井開口部９ａから出し入れ可能な取替えタイプの場合、天井開口部９ａの大きさは予め決まっているため、取替えの互換性を確保するためには、浴室暖房乾燥機１´の幅寸法を小さくして、その分だけ高さ寸法を大きくせざるを得ない。
【０００５】
そこで、従来は、ミスト用熱交換器５を収納するミストボックス５０を本体ケーシング１６の上面に搭載している。しかし、浴室暖房乾燥機１´全体の高さ寸法（Ｌ＋Ｄ）が大きくなると、浴室の天井９の高さは建築物の１階分の高さの制約を受けているため、浴室暖房乾燥機１´を天井裏に設置できなくなるおそれが生じる。
【０００６】
また、従来では、室温が上昇してからミスト噴霧することにより、ミストが冷たく感じることを防止するようにしているが、ミスト用熱交換器５からミストノズル８までのミスト配管１５´の配管長Ｆ´が長く、このため、ミスト配管１５´内に滞留している水は冷たいままであるため、室温を上昇させても、噴霧直後には冷たい滞留水を噴霧することになる。
【０００７】
このため、ミストの噴霧開始直後には、図７のグラフに示すように、洗い場の平均温度が低下するという問題があり、その時点で入浴中であれば、ミストが冷たく感じることがあり、ミストサウナに適した環境（約４０℃、湿度１００％）まで温度を上昇させるために必要な時間も長くなってしまう。この問題は、とくに冬場などで水温が低い場合、ミスト用熱交換器５からミストノズル８までの配管が長い場合により顕著になる。そのうえ、ミストノズル８からの噴霧量は、０．５Ｌ／ｍｉｎ以下と非常に少なく、冷たい滞留水が抜けるまでの時間が長くなる。また、ミストサウナとしては、噴霧量を小さくしてミストを微細化することが体感が良好になるポイントであるが、噴霧量を下げれば下げるほど、加熱された温水が供給されるまでの時間が長くなってしまうという問題があり、さらにミスト配管１５´の配管長Ｆ´が長いために放熱ロスが生じるという問題がある。
【先行技術文献】
【特許文献】
【０００８】
【特許文献１】特開２００６−７１１４号公報
【発明の概要】
【発明が解決しようとする課題】
【０００９】
本発明は上記の事情に鑑みてなされたものであって、その目的とするところは、ミストサウナ機能を有する浴室暖房乾燥機本体の高さ寸法を小さく抑えることができ、取替えの互換性を確保しながら、天井への設置性を向上させることができる浴室暖房乾燥機を提供することにある。
【課題を解決するための手段】
【００１０】
前記の課題を解決するために、本発明は、浴室３０の天井９に設置される浴室暖房乾燥機であって、天井裏に設置されて浴室３０内に温風を供給する浴室暖房乾燥機本体２と、この浴室暖房乾燥機本体２の浴室３０に露出する下面を覆うフロントパネル４と、浴室３０内にミストサウナ用の水又は湯を噴霧するミストノズル８とこのミストノズル８に供給される水又は湯を加熱するミスト用熱交換器５とを備えるミスト噴霧ユニット３とを具備し、上記フロントパネル４の内部に上記ミスト用熱交換器５を内蔵したことを特徴としている。
【００１１】
このような構成とすることで、ミスト用熱交換器５は浴室暖房乾燥機本体２の下面を覆うフロントパネル４内部に内蔵されるので、従来のようにミスト用熱交換器５を収納したミストボックス５０を浴室暖房乾燥機本体２の上面に搭載した場合と異なり、浴室暖房乾燥機本体２の高さ寸法Ｌを小さく抑えることができる。これにより、浴室暖房乾燥機１が天井開口部９ａから出し入れ可能な取替えタイプの場合であっても、天井９への設置がしやすくなる。しかも、ミスト用熱交換器５は浴室暖房乾燥機本体２の下面を覆うフロントパネル４内部に位置するので、ミスト用熱交換器５とミストノズル８とを配管接続する際の配管長Ｆを短くでき、これにより、ミストサウナ運転初期における冷たい滞留水の噴霧量を低減でき、浴室３０内の温度低下を極力防止できるようになる。
【００１２】
また、上記ミスト用熱交換器５は、ミストノズル８に供給される水又は湯を熱源機からの温水と熱交換させて加熱するのが好ましい。この場合、フロントパネル４に内蔵されるミスト用熱交換器５は熱源機からの温水を利用してミスト用水を加熱できるようになる。
【００１３】
また、上記ミストノズル８は、浴室３０に露出するノズル吐出口８ａを先端に有する胴体部８ｂが、フロントパネル４の内部に配置されているのが好ましい。この場合、フロントパネル４内部でミストノズル８とミスト用熱交換器５とを配管接続できると共に、ミストノズル８の近傍でミスト用水を加熱でき、放熱ロスを防いで熱効率を向上させることができる。
【００１４】
また、熱源機からの温水を上記ミスト用熱交換器５の一次側に循環させる温水送り配管１４ｂ及び温水戻り配管１４ｃと、給水手段からのミスト用水を上記ミスト用熱交換器５の二次側に供給するミスト用給水配管１４ａとで配管セット１４を構成し、上記フロントパネル４を、ミスト用熱交換器５を内蔵する第1のフロントパネル４ａと、ミスト用熱交換器５を内蔵しない第２のフロントパネル４ｂのいずれか一方で構成し、浴室暖房乾燥機本体２に対して上記配管セット１４と上記第1のフロントパネル４ａとを取り付けてミストサウナ機能を付加する構造と、浴室暖房乾燥機本体２に対して第２のフロントパネル４ｂを取り付けてミストサウナ機能を付加しない構造とを選択可能とするのが好ましい。この場合、浴室暖房乾燥機本体２の構成部品を共通使用でき、コストダウン効果が得られる。
【発明の効果】
【００１５】
本発明は、浴室暖房乾燥機本体の下面を覆うフロントパネルの内部にミスト用熱交換器を内蔵したことにより、ミストサウナ機能を有する浴室暖房乾燥機本体の高さ寸法を低減でき、取替えの互換性を確保しながら、天井への設置性が向上するものである。さらにミスト用熱交換器とミストノズル間の配管長を短くでき、ミストサウナ運転初期における冷たい滞留水の噴霧量を低減でき、結果、浴室内温度の低下を極力防止できるものである。
【００１６】
また本発明は、フロントパネルに内蔵されるミスト用熱交換器を熱源機からの温水を利用してミスト用水を加熱できる構造となる。
【００１７】
また本発明は、ミスト用熱交換器からミストノズルまでの配管長を短くできるので、放熱ロスの低減ができ、熱効率を高めることができる。
【００１８】
また本発明は、浴室暖房乾燥機本体の構成部品を共通使用しながら、フロントパネルの交換と配管セットの追加だけで、ミストサウナ機能の付加を低コストで実現できる。
【図面の簡単な説明】
【００１９】
【図１】本発明の実施形態のミストサウナ機能を有する浴室暖房乾燥機の一例を示す概略構成図である。
【図２】同上の浴室暖房乾燥機本体と、ミスト用熱交換器を内蔵する第1のフロントパネルと、配管セットとを分解した側面図である。
【図３】同上の浴室暖房乾燥機が設置される浴室の天井を示し、（ａ）は平面図、（ｂ）は正面図、（ｃ）は側面図、（ｄ）は（ｂ）のＡ部の拡大断面図である。
【図４】（ａ）は同上のミスト用熱交換器の斜視図であり、（ｂ）は配管セットの配管接続部をクイックファスナ接合構造とした一例の説明図である。
【図５】同上の浴室暖房乾燥機にミストサウナ機能を付加しない施工状態を示す概略構成図である。
【図６】従来のミストサウナ機能を有する浴室暖房乾燥機の概略構成図である。
【図７】従来のミストの噴霧開始直後に洗い場の平均温度が低下する場合を説明するグラフである。
【発明を実施するための形態】
【００２０】
以下、本発明の実施の形態について、図面を参照しながら説明する。
【００２１】
図１は、本実施形態の天井設置形の浴室暖房乾燥機１の概略構成図を示し、図２は浴室暖房乾燥機１の分解図であり、図３は浴室暖房乾燥機１の設置状態の説明図である。
【００２２】
本例の浴室暖房乾燥機１は、天井裏に設置されて浴室３０内に温風を供給する浴室暖房乾燥機本体２と、浴室３０側に配置されて浴室暖房乾燥機本体２の浴室３０に露出する下面を覆うフロントパネル４と、浴室３０内にミストサウナ用の水又は湯を噴霧するミスト噴霧ユニット３とを具備している。
【００２３】
浴室暖房乾燥機本体２は、浴室３０内の空気を風路内に循環させる循環ファン７と、該循環する空気を温める加熱手段と、これらを収納する本体ケーシング１６とで構成される。
【００２４】
上記加熱手段は、温風を生成するための暖房用熱交換器６で構成されている。暖房用熱交換器６には、外部に設置した給湯器などの熱源機からの高温水が暖房配管１０を介して供給される。暖房配管１０の往路１０ａには、暖房用熱交換器６への温水の供給量を調節するための空調用制御弁１１と、温水の温度を検知するサーミスター等の温度センサ（図示せず）とが配置される。空調用制御弁１１は、例えば温度センサの検知温度に応じて循環ファン７のＯＮ動作を行う熱動弁で構成される。
【００２５】
本体ケーシング１６は、図３（ａ）〜（ｃ）に示すように、天井裏に取り付けた吊りボルト２１で吊り下げ支持されており、本体ケーシング１６の下端縁にはその全周に亘って、図３（ｄ）に示すシール材１７が設けられており、これにより、浴室３０内の湿気が天井裏へ侵入するのが防がれている。なお図３（ａ）中の２０は換気装置、２０ａは換気ダクト、２２は点検口、図３（ｂ）（ｃ）の２３はスラブ面、３１は浴槽である。
【００２６】
浴室暖房乾燥機本体２の下面はフロントパネル４で覆われる。フロントパネル４は天井開口部９ａよりも大きな寸法を有していると共に、吸込口と吹出口（図示せず）とを備えており、浴室暖房乾燥機本体２の循環ファン７により浴室３０内の空気が吸込口から風路内に吸い込まれ、暖房用熱交換器６で加熱されて吹出口から浴室３０内へ循環するようになっている。フロントパネル４は、例えば、プラスティック等の樹脂を射出金型装置で成形した成型品が使用される。もちろん樹脂製に限らず金属製であってもよい。
【００２７】
ミスト噴霧ユニット３は、図１に示すように、給水手段からのミスト用水（温水）を暖房配管１０からの温水と熱交換させて加熱するミスト用熱交換器５と、ミスト用熱交換器５で加熱された温水をミスト状に噴霧するミストノズル８と、ミスト用熱交換器５を給水手段及び暖房配管１０に対してそれぞれ接続する配管セット１４とを備えている。
【００２８】
本例のミスト用熱交換器５は、フロントパネル４の内部に内蔵されている。以下、ミスト用熱交換器５を内蔵するフロントパネル４を第1のフロントパネル４ａとして説明する。
【００２９】
ミスト用熱交換器５の外郭形状は、図４（ａ）に示すように、フロントパネル４ａ内部に納まるような、扁平な四角箱形に形成されている。
【００３０】
本例のミスト用熱交換器５は、例えば暖房配管１０からの温水が通過する一次側水路と給水手段からのミスト用水が通過する二次側水路とを複数の伝熱プレートを介して区画した液−液熱交換器が使用される。
【００３１】
ミスト用熱交換器５の上面の四隅には、一次側水路の出入口となる一次入側接続口５ａと一次出側接続口５ｃ、二次側水路の出入口となる二次入側接続口５ｂと二次出側接続口５ｄが設けられる。接続口５ａ、５ｂ、５ｃはそれぞれ、フロントパネル４ａの上面側に露出していると共に、後述の配管セット１４を用いて、給水手段（図示せず）と暖房配管１０とにそれぞれ脱着可能に接続される。
【００３２】
ミスト用熱交換器５の二次出側接続口５ｄは、ミスト配管１５を介してミストノズル８に接続される。ミスト配管１５にはミスト制御弁（図示せず）が設けられている。ミストノズル８は、図２に示すノズル吐出口８ａを先端に有する胴体部８ｂがフロントパネル４ａの内部に配置されている。なおミストノズル８の数は1個に限らず、複数個であってもよい。
【００３３】
配管セット１４は、図２に示すように、浴室暖房乾燥機本体２及びフロントパネル４ａから独立した複数本の配管部材で構成される。ここでは、暖房配管１０の往路１０ａとミスト用熱交換器５の一次入側接続口５ａとを接続する温水送り配管１４ｂと、暖房配管１０の復路１０ｂとミスト用熱交換器５の一次出側接続口５ｃとを接続する温水戻り配管１４ｃと、給水手段とミスト用熱交換器５の二次入側接続口５ｂとを接続するミスト用給水配管１４ａとが使用される。これら各配管１４ａ〜１４ｃの接続口部は、図４（ｂ）に示すように、ワンタッチで脱着でき且つ確実に接合可能なクイックファスナ接合構造４０となっている。これら各配管１４ａ〜１４ｃは可撓性のある耐圧ホースで構成されており、配管同士を水的に接続する配管機能に加えて、フロントパネル４ａを本体ケーシング１６に対して機械的に取り付ける接続機能も併せ持っている。
【００３４】
次に、上記ミストサウナ機能を有する浴室暖房乾燥機１を天井９に設置するにあたっては、浴室暖房乾燥機本体２に加えて、ミスト用熱交換器５を内蔵した第1のフロントパネル４ａと、配管セット１４とを使用する。浴室暖房乾燥機本体２を天井裏に設置した状態で、ミスト用給水配管１４ａの一端を浴室３０の天井裏において給水手段と接続し、ミスト用給水配管１４ａの他端をフロントパネル４ａ上面側に露出しているミスト用熱交換器５の二次入側接続口５ｂに接続する。また温水送り配管１４ｂの一端を暖房配管１０の往路１０ａの分岐継手部６０（図２）に接続し、温水送り配管１４ｂの他端をミスト用熱交換器５の一次入側接続口５ａに接続すると共に、温水戻り配管１４ｃの一端を暖房配管１０の復路１０ｂの分岐継手部６１（図２）に接続し、温水戻り配管１４ｃの他端をミスト用熱交換器５の一次出側接続口５ｃに接続する。この配管接続状態では、フロントパネル４ｂが配管セット１４を介して浴室暖房乾燥機本体２の下面側から脱落しないように吊り下げ支持された取り付け状態となり、本体ケーシング１６に対するフロントパネル４ｂのビス固定は不要となる。
【００３５】
上記構成によれば、ミスト用熱交換器５は浴室暖房乾燥機本体２の下面を覆うフロントパネル４ａの内部に内蔵されるので、浴室暖房乾燥機本体２の上面側に従来のミストボックス５０（図６）を搭載する必要がなくなり、浴室暖房乾燥機本体２の高さ寸法Ｌ（図１）を小さく抑えることができるので、天井開口部９ａから出し入れ可能となり、取替えの互換性を確保しつつ、天井９への設置性を向上させることができる。
【００３６】
また本例の配管セット１４（温水送り配管１４ｂ、温水戻り配管１４ｃ、ミスト用給水配管１４ａ）は、可撓性のある耐圧ホースで構成され、しかも接続部分は、脱着式のクイックファスナ接合構造４０を採用しているので、ワンタッチで配管接続ができて施工性が良好になると共に優れた接合力を発揮でき、水漏れを確実に防止できる利点がある。
【００３７】
ちなみに、配管セット１４を使用せず、長尺管を施工現場まで運び込み、その長尺管を施工現場で切断して必要な長さの管を必要本数だけ製作し、こうして製作した管を使って配管する施工する手順においては、長尺管の現場切断に手間と熟練を要する。これに対し、配管セット１４を用いることでかかる問題はなく、しかも可撓質の耐圧ホースで構成することで、屈曲自在となり配管作業がはかどり、施工を短縮化できると共に、配管セット１４自体がフロントパネル４ａと本体ケーシング１６とを機械的に接続する吊下支持具としても機能する。これによりフロントパネル４ａを本体ケーシング１６に対してビス固定する必要がなくなると共に、万が一ビスがはずれた場合にフロントパネル４ａが落下するという事態も回避できるようになる。
【００３８】
次に、ミストサウナ運転を行う際は、先ず空調用制御弁１１が開いて暖房配管１０から暖房用熱交換器６に高温水（約８０℃）が送られ、循環ファン７により浴室暖房が実行される。そして所定温度に達した段階で給水弁（図示せず）が開いてミスト用給水配管１４ａからのミスト用水がミスト用熱交換器５において暖房配管１０からの温水との熱交換により加熱されて、ミストノズル８から浴室３０内にミスト状に噴霧される。
【００３９】
このとき、フロントパネル４ａの内部にミスト用熱交換器５と共にミストノズル８が収納されているので、ミストノズル８間近でミストを加熱でき、放熱ロスの低減ができると共に、ミスト配管１５の配管長Ｆ（図１）を短くできるので、運転初期における冷たい滞留水の噴霧も減少する。これにより、ミストノズル８からの噴霧量を０．５Ｌ／ｍｉｎ以下と非常に少なくすることでミストを微細化してミストサウナ体感を良好にできる効果を得る場合であっても、滞留水が抜けるまでの時間を短くでき、結果として、特に冬場などの水温が低い場合であっても、ミストサウナに適した環境（約４０℃、湿度１００％）まで温度を上昇させるための必要時間を短縮できるものである。
【００４０】
一方、ミストサウナ機能を付加しない場合は、図５に示すように、ミスト用熱交換器５を内蔵しない第２のフロントパネル４ｂを、本体ケーシング１６に対してビス固定により取り付ける。この場合において、ユーザーの要望に応じてミストサウナ機能を後から追加する場合は、浴室暖房乾燥機本体２の本体ケーシング１６、暖房用熱交換器６などの各構成部品をそのまま共通使用し、第２のフロントパネル４ｂから第1のフロントパネル４ａへのフロントパネル交換と配管セット１４を追加するだけで、追加工事に容易に対応でき、コストダウン効果が得られる。そのうえ、部品の共通使用に伴い製造から現場組み立てまでの部品管理を容易化できる利点もある。
【００４１】
前記実施形態では、ミストノズル８をミスト用熱交換器５と共に第1のフロントパネル４ａ内部に内蔵した場合を説明したが、フロントパネル４ａの内部にミスト用熱交換器５のみを内蔵し、ミストノズル８を例えば浴室暖房乾燥機本体２側であって第1のフロントパネル４ａ内のミスト用熱交換器５に近い位置に配置してもよいものである。
【符号の説明】
【００４２】
１  浴室暖房乾燥機
２  浴室暖房乾燥機本体
３  ミスト噴霧ユニット
４  フロントパネル
４ａ  第1のフロントパネル
４ｂ  第２のフロントパネル
５  ミスト用熱交換器
６  暖房用熱交換器
７  循環ファン
８  ミストノズル
８ａ  ノズル吐出口
８ｂ  胴体部
９  天井
１４  配管セット
１４ａ  ミスト用給水配管
１４ｂ  温水送り配管
１４ｃ  温水戻り配管
１５  ミスト配管
３０  浴室
【図１】
0005592125.tif 000002
【図２】
0005592125.tif 000003
【図３】
0005592125.tif 000004
【図４】
0005592125.tif 000005
【図５】
0005592125.tif 000006
【図６】
0005592125.tif 000007
【図７】
0005592125.tif 000008